(57)【要約】本発明は、移動端末にダウンリンクデータを送信する方式に関する。移動端末は、ＨＳ−ＤＳＣＨ（High Speed Downlink Shared Channel）に関連するＨＳ−ＳＣＣＨ（High Speed SharedControl Channel）で特定共通Ｈ−ＲＮＴＩ（HS-DSCH Radio Network Temporary Identifier）を受信し、前記ＨＳ−ＤＳＣＨが送信するＭＡＣ（MediumAccess Conrol） ＰＤＵ（Packet Data Unit）のヘッダに端末専用識別子が含まれていると把握し、前記端末専用識別子を取得して端末専用識別子が前記端末に対するものである場合、前記ＭＡＣＰＤＵを前記端末自身のものとして処理する。
2010512707.tif 000002
【特許請求の範囲】
【請求項１】
無線通信における無線ネットワークと端末間のダウンリンクデータ送信方法において、
（Ａ）共有データチャネルに関連する制御チャネルで端末が共通識別子を受信する段階と、
（Ｂ）前記共有データチャネルが送信するＭＡＣ（Medium Access Control） ＰＤＵ（Packet Data Unit）のヘッダに端末専用識別子が含まれているか否かを確認する段階と、
（Ｃ）前記ＭＡＣ ＰＤＵのヘッダに端末専用識別子が含まれている場合、前記端末専用識別子を取得し、前記取得した端末専用識別子と前記端末の保存している端末専用識別子とが一致するか否かを確認する段階と、
（Ｄ）前記端末専用識別子が一致した場合、前記ＭＡＣ ＰＤＵを処理する段階と
を含むことを特徴とする方法。
【請求項２】
前記共有データチャネルは、ＨＳ−ＤＳＣＨ（High Speed Dedicated Shared Channel）であり、前記制御チャネルは、ＨＳ−ＳＣＣＨ（HightSpeed Shared Control Channel）であることを特徴とする請求項１に記載の方法。
【請求項３】
前記共通識別子は、Ｈ−ＲＮＴＩ（HS-DSCH Radio Network Temporary Identifier）であることを特徴とする請求項１に記載の方法。
【請求項４】
前記ＭＡＣ ＰＤＵのヘッダに含まれている端末専用識別子は、
ＵＴＲＡＮ（UMTSTerrestrial Radio Access Network）内の特定端末を示すＵ−ＲＮＴＩ（UTRAN Radio Network TemporaryIdentifier）であることを特徴とする請求項１に記載の方法。
【請求項５】
前記段階（Ｄ）で、
前記端末専用識別子が一致しない場合、前記ＭＡＣ ＰＤＵを廃棄することを特徴とする請求項１に記載の方法。
【請求項６】
無線ネットワークにおいて共有データチャネルに関連する制御チャネルで特定共通識別子を受信する受信部と、
前記共有データチャネルが送信するＭＡＣ ＰＤＵのヘッダに端末専用識別子が含まれているか否かを確認し、前記ヘッダに前記識別子が含まれている場合は前記ＭＡＣＰＤＵのヘッダから端末専用識別子を取得し、前記取得した端末専用識別子と前記端末に保存されている端末専用識別子とを比較して一致しているか否かを判断し、前記端末専用識別子が一致する場合は前記ＭＡＣＰＤＵ（該当ＭＡＣ ＳＤＵ）を上位のＭＡＣ層に送信する処理部と
を含むことを特徴とする端末。
【請求項７】
前記処理部は、
前記取得した端末専用識別子が前記端末に保存されている前記端末専用識別子と一致しない場合、前記受信したＭＡＣＰＤＵを廃棄するように処理することを特徴とする請求項６に記載の端末。
【請求項８】
前記処理部は、
前記制御チャネルが示す共有データチャネルの送信のために使用されるＭＡＣＰＤＵのフォーマットを決定し、前記決定されたＭＡＣ ＰＤＵフォーマットに応じて前記受信したＭＡＣ ＰＤＵを分解することを特徴とする請求項６に記載の端末。
【請求項９】
前記共有データチャネルは、ＨＳ−ＤＳＣＨ（High Speed Dedicated Shared Channel）であり、前記制御チャネルは、ＨＳ−ＳＣＣＨ（HightSpeed Shared Control Channel）であることを特徴とする請求項６に記載の端末。
【請求項１０】
前記ＭＡＣ ＰＤＵのヘッダに含まれている端末専用識別子は、
ＵＴＲＡＮ内の特定端末を示すＵ−ＲＮＴＩ（UTRAN Radio Network Temporary Identifier）であることを特徴とする請求項６に記載の端末。
【発明の詳細な説明】
【技術分野】
【０００１】
本発明は、移動通信における移動端末へのダウンリンクデータの送信方式に関し、特に、移動通信のためのデータフォーマット構成方法及びその端末に関する。
【背景技術】
【０００２】
図１は、従来技術及び本発明が適用されるＵＭＴＳ（Universal Mobile Telecommunications System）のネットワーク構造を示す図である。ＵＭＴＳシステムは、端末（UserEquipment：ＵＥ）、ＵＴＭＳ無線アクセスネットワーク（UMTS Terrestrial Radio Access Network：ＵＴＲＡＮ）、及びコアネットワーク（CoreNetwork：ＣＮ）からなる。ＵＴＲＡＮは、少なくとも１つの無線ネットワークサブシステム（Radio Network Sub-systems：ＲＮＳ）から構成され、各ＲＮＳは、１つの無線ネットワーク制御装置（RadioNetwork Controller：ＲＮＣ）と、前記ＲＮＣにより管理される少なくとも１つの基地局（Ｎｏｄｅ Ｂ）とから構成される。１つのＮｏｄｅＢには少なくとも１つのセルが存在する。
【０００３】
図２は、３ＧＰＰ無線接続ネットワーク標準に準拠した端末とＵＴＲＡＮ間の無線インタフェースプロトコルの構造を示す。図２に示すように、前記無線インタフェースプロトコルは、水平的には物理層と、データリンク層と、ネットワーク層とから構成され、垂直的にはデータ情報の送信のためのユーザプレーン（User Plane: Ｕ−ｐｌａｎｅ）と、制御信号の送信のための制御プレーン（Control Plane: Ｃ−ｐｌａｎｅ）とから構成される。図２のプロトコル層は、通信システムにおいて公知の開放型システム間相互接続（OpenSystem Interconnection: ＯＳＩ）参照モデルの下位３層に基づいて第１層（Ｌ１）、第２層（Ｌ２）、第３層（Ｌ３）に区分される。
【０００４】
以下、図２の各層を詳細に説明する。第１層（Ｌ１）、すなわち、物理層は、物理チャネルを用いて上位層に情報転送サービス（Information Transfer Service）を提供する。前記物理層は、上位層である媒体アクセス制御（MediaAccess Control: ＭＡＣ）層にトランスポートチャネルで接続される。前記トランスポートチャネルで前記ＭＡＣ層と物理層との間にデータが送受信される。また、データ送信は、相異なる物理層間、すなわち、送信側と受信側の物理層間で物理チャネルを介して行われる。
【０００５】
第２層のＭＡＣ層は、上位層である無線リンク制御（Radio Link Control：ＲＬＣ）層に論理チャネルを介してサービスを提供する。前記第２層のＲＬＣ層は、信頼性のあるデータ送信をサポートし、上位層からのＲＬＣサービスデータ単位（ＳＤＵ）の分割及び連結機能を果たす。
【０００６】
第３層の最下部に位置する無線リソース制御（Radio Resource Control：ＲＲＣ）層は、制御プレーンにおいてのみ定義され、無線ベアラ（Radio Bearer：ＲＢ）の設定、再設定及び解除に関連してトランスポートチャネル及び物理チャネルを制御する。ここで、ＲＢは、前記ＵＥと前記ＵＴＲＡＮ間のデータ転送のために、前記第２層（Ｌ２）により提供されるサービスである。一般に、ＲＢの設定とは、特定サービスを提供するために必要なプロトコル層及びチャネルの特性を規定し、それぞれの具体的なパラメータ及び動作方法を設定することである。
【０００７】
特定端末のＲＲＣ層とＵＴＲＡＮのＲＲＣ層間に接続が設定されて転送が可能なときは、該当端末がＲＲＣ接続状態にあり、接続されていないときは、前記端末がアイドル状態にある。ＲＲＣ接続状態の端末は、ＵＲＡ＿ＰＣＨ状態、ＣＥＬＬ＿ＰＣＨ状態、ＣＥＬＬ＿ＦＡＣＨ状態、ＣＥＬＬ＿ＤＣＨ状態に分けられる。アイドル状態、ＵＲＡ＿ＰＣＨ状態、又はＣＥＬＬ＿ＰＣＨ状態にある端末は、電力消費を減らすためにＤＲＸ方式を用いて物理チャネルであるＰＩＣＨ（Paging Indicator Channel）とトランスポートチャネルであるＰＣＨ（Paging Channel）がマッピングされる物理チャネルであるＳＣＣＰＣＨ（SecondaryCommon Control Physical Channel）を不連続的に（discontinuously）受信する。ここで、前記端末は、ＰＩＣＨ又はＳＣＣＰＣＨを受信する場合を除いた他の時間間隔中はスリープモード状態にある。従来技術でＤＲＸ方式を行う端末は、不連続受信周期長（CNDomain Specific DRX Cycle Length or UTRAN Specific DRX Cycle Length）毎にウェークアップしてＰＩＣＨチャネルの端末専用ＰＩ（PagingIndicator）を受信する。ここで、従来技術の端末専用ＰＩは、特定端末のためのページングメッセージがＰＣＨチャネルで送信されることを特定端末に通知するために使用される。前記ＰＩＣＨチャネルは、１０ｍｓの長さのＰＩＣＨフレームに区分され、１つのＰＩＣＨフレームは３００ビットから構成される。１つのフレームの前部の２８８ビットは、端末専用ＰＩＣＨチャネルのために使用され、１つ以上の端末専用ＰＩを送信する。１つのＰＩＣＨフレームの後部の１２ビットは送信されない。便宜上、前記ＰＩＣＨチャネルの前部２８８ビットをＵＥＰＩＣＨチャネルとして定義し、前記後部１２ビットをＰＩＣＨ未使用部（PICH Unused Part）として定義する。
【０００８】
図３は、従来技術による端末とＵＴＲＡＮ間のＲＲＣ接続過程を示す信号フロー図である。図３に示すように、アイドル状態の端末がＵＴＲＡＮとＲＲＣ接続されるためには、ＲＲＣ接続過程を行わなければならない。ＲＲＣ接続過程は、端末がＵＴＲＡＮにＲＲＣ接続要求（RRC connection request）メッセージを送信する段階（Ｓ１）、ＵＴＲＡＮが端末にＲＲＣ接続設定（RRCconnection setup）メッセージを送信する段階（Ｓ２）、及び端末がＵＴＲＡＮにＲＲＣ接続設定完了（RRC connection setupcomplete）メッセージを送信する段階（Ｓ３）の３つの段階からなる。
【０００９】
以下、従来技術において１つの端末に高速のデータをダウンリンクで送信するＨＳ−ＤＳＣＨ送信について説明する。ＨＳ−ＤＳＣＨは、２ｍｓＴＴＩ（transmission time interval）（３スロット）を有し、高いデータレートを得るために多様なＭＣＳ（modulationcode set）をサポートする。チャネル状況に最も適したＭＣＳを選ぶことにより、最適なスループットを達成することができる。このために、自動再送要求（automaticrepeat request：ＡＲＱ）技術とチャネル符号化（channel coding）技術を組み合わせたハイブリッドＡＲＱ（ＨＡＲＱ）技術を採用して信頼できる送信が行われるようにする。
【００１０】
図４は、従来技術のＨＳ−ＤＳＣＨのプロトコルスタックを示す図である。図４に示すように、ＳＲＮＣのＲＬＣ層から送信されたデータユニットは、論理チャネルＤＴＣＨ又はＤＣＣＨで専用チャネルを管理するＭＡＣ−ｄエンティティに送信され、該当データは、ＣＲＮＣのＭＡＣ−ｃ／ｓｈ／ｍを経てＮｏｄｅＢのＭＡＣ−ｈｓに送信される。ここで、ＭＡＣ−ｄは専用チャネルを管理し、ＭＡＣ−ｃ／ｓｈ／ｍは共用チャネルを管理し、ＭＡＣ−ｈｓはＨＳ−ＤＳＣＨを管理するＭＡＣエンティティである。
【００１１】
物理チャネルＨＳ−ＰＤＳＣＨは、送信チャネルであるＨＳ−ＤＳＣＨを送信するために使用される。ＨＳ−ＰＤＳＣＨチャネルは、１６に固定された拡散率を有し、ＨＳ−ＤＳＣＨデータ送信のために予備されたチャネル化コードセットから選択された１つのチャネル化コードに対応する。１つのＵＥに対してマルチコード送信を行う場合、同一のＨＳ−ＰＤＳＣＨサブフレーム中に複数のチャネル化コードが割り当てられる。図５は、ＨＳ−ＰＤＳＣＨのサブフレーム及びスロット構造を示す図である。前記ＨＳ−ＰＤＳＣＨチャネルは、ＱＰＳＫ又は１６ＱＡＭ変調シンボルを送信する。図５において、Ｍは変調シンボル当たりのビット数を示す。すなわち、ＱＰＳＫの場合はＭが２であり、１６ＱＡＭの場合はＭが４である。
【００１２】
図６は、従来技術によるチャネル構成を示す図である。
【００１３】
図６に示すように、ＨＳ−ＤＳＣＨでユーザデータを送信するためには、ＨＳ−ＤＳＣＨ制御情報の送信を必要とし、前記情報は、ダウンリンクＨＳ−ＳＣＣＨ（High Speed Shared Control Channel）とアップリンクＨＳ−ＤＰＣＣＨ（High SpeedDedicated Physical Control Channel）で送信される。ここで、ＤＰＣＨ（Dedicated Physical Channel）は、双方向物理チャネルであり、トランスポートチャネルＤＣＨがマッピングされ、端末の専用のデータと、閉ループ電力制御に必要な電力制御信号のような端末専用のＬ１制御情報とを伝送するために使用される。また、Ｆ−ＤＰＣＨ（FractionalDedicated Physical Channel）は、ダウンリンクチャネルであり、複数のＤＰＣＨを１つのチャネルコードを使用して送信する物理チャネルである。ここで、１つのＦ−ＤＰＣＨチャネルは、複数の端末の端末専用データを送信するのではなく、閉ループ電力制御に必要な電力制御信号のような複数の端末の端末専用Ｌ１制御情報を共に伝達するために使用される。ダウンリンクＦ−ＤＰＣＨチャネルがある場合、アップリンクＤＰＣＨチャネルが共に連動して動作する。図６において、ＵＥ１、ＵＥ２、及びＵＥ３は、Ｆ−ＤＰＣＨチャネルを１つのチャネルコードを介して使用し、この場合、各端末は、上方へＤＰＣＨを提供する。
【００１４】
ダウンリンクＨＳ−ＳＣＣＨチャネルは、拡散率１２８で送信され、６０ｋｂｐｓの送信速度を有するダウンリンク物理チャネルである。図７は、ＨＳ−ＳＣＣＨのサブフレーム構造を示す図である。ダウンリンクＨＳ−ＳＣＣＨチャネルに送信される情報は、ＴＦＲＩ（Transport Format and Resource related Information）とＨＡＲＱ関連情報とに分けられ、さらに、特定使用者に関する情報を提供するためのＵＥ識別子（すなわち、Ｈ−ＲＮＴＩ（HS-DSCHRadio Network Temporary Identifier））情報がマスキングされて送信される。表１は、詳細なＨＳ−ＳＣＣＨ情報を示す。
【００１５】
【表１】
2010512707.tif 000003
図８は、前記情報に基づいたＨＳ−ＳＣＣＨの符号化方式を示す。
【００１６】
前記アップリンクＨＳ−ＤＰＣＣＨは、ダウンリンクＨＳ−ＤＳＣＨデータ送信に関するアップリンクフィードバックシグナリングを送信する。ＨＳ−ＤＰＣＣＨは、特定端末のための専用チャネルであり、アップリンク及びダウンリンクのＤＰＣＨと共に連動して動作する。前記フィードバックシグナリングは、ＨＡＲＱのためのＡＣＫ（Acknowledgement）／ＮＡＣＫ（Negative Acknowledgement）情報とチャネル品質インジケータ（ChannelQuality Indicator：ＣＱＩ）とから構成される。前記ＨＳ−ＤＰＣＣＨのフレームは、５つのサブフレームから構成される。また、各サブフレームの長さは２ｍｓであり、１つのサブフレームは第１スロットから第３スロットまで、すなわち、３つのスロットから構成される。前記サブフレームの各スロットで送信される情報は、次の通りである。すなわち、ＨＡＲＱＡＣＫ／ＮＡＣＫ情報は、ＨＳ−ＤＰＣＣＨサブフレームの第１スロットで、ＣＱＩはＨＳ−ＤＳＣＨサブフレームの第２スロット及び第３スロットでそれぞれ送信される。前記ＨＳ−ＤＰＣＣＨは、常にアップリンクＰＤＣＣＨと共に送信される。前記ＣＱＩは、ＵＥがダウンリンクＣＰＩＣＨ（CommonPilot Channel）を測定した結果から得られたダウンリンク無線チャネルの状態情報を基地局に伝達し、ＡＣＫ／ＮＡＣＫは、ＨＡＲＱメカニズムによりダウンリンクＨＳ−ＤＳＣＨで送信されたユーザデータパケット送信に関するＡＣＫ又はＮＡＣＫ情報を通知する。図９は、アップリンクＨＳ−ＤＰＣＣＨのフレーム構造を示す。
【００１７】
従来技術において、特定端末にＨＳ−ＤＳＣＨ送信をする場合、ＨＳ−ＳＣＣＨが端末専用のＨ−ＲＮＴＩ（HS-DSCH Radio Network Temporary Identifier）を示す。一方、複数の端末にＨＳ−ＤＳＣＨが送信される場合、前記ＨＳ−ＳＣＣＨは共通Ｈ−ＲＮＴＩを示す。また、従来技術において、ＨＳ−ＤＳＣＨのＭＡＣＰＤＵは、端末識別子（ＵＥ識別子）を含まない。
【００１８】
従来技術において、特定のケースで、端末専用のＨ−ＲＮＴＩが割り当てられていない特定端末に無線ネットワークがＨＳ−ＤＳＣＨを送信するケースがある。このような場合、前記特定端末が端末専用Ｈ−ＲＮＴＩを有していないため、無線ネットワークは共通Ｈ−ＲＮＴＩにより前記特定端末に前記ＨＳ−ＤＳＣＨの送信に関して通知する。この場合、前記特定端末は、前記ＨＳ−ＤＳＣＨの送信が前記特定端末に対するものであると把握することができないという問題が発生する。
【発明の概要】
【課題を解決するための手段】
【００１９】
従って、本発明の目的は、共通Ｈ−ＲＮＴＩを使用してＨＳ−ＤＳＣＨが送信されるとき、端末専用のＨ−ＲＮＴＩが割り当てられていない特定端末が新しく定義されたＭＡＣＰＤＵフォーマットを用いてＨＳ−ＤＳＣＨのような共有データチャネルでデータを受信することができるようにする。
【００２０】
このような目的を解決するために、本発明による移動通信におけるダウンリンクデータ送信方法は、無線通信における無線ネットワークと端末間のダウンリンクデータ送信方法において、（Ａ）共有データチャネルに関連する制御チャネルで端末が共通識別子を受信する段階と、（Ｂ）前記共有データチャネルが送信するＭＡＣ（Medium Access Control） ＰＤＵ（Packet Data Unit）のヘッダに端末専用識別子が含まれているか否かを確認する段階と、（Ｃ）前記ＭＡＣＰＤＵのヘッダに端末専用識別子が含まれている場合、前記端末専用識別子を取得し、前記取得した端末専用識別子と前記端末の保存している端末専用識別子とが一致するか否かを確認する段階と、（Ｄ）前記端末専用識別子が一致した場合、前記ＭＡＣＰＤＵを処理する段階とを含む。
【００２１】
好ましくは、前記共有データチャネルは、ＨＳ−ＤＳＣＨ（High Speed Dedicated Shared Channel）であり、前記制御チャネルは、ＨＳ−ＳＣＣＨ（HightSpeed Shared Control Channel）である。
【００２２】
好ましくは、前記共通識別子は、Ｈ−ＲＮＴＩである。
【００２３】
好ましくは、前記ＭＡＣ ＰＤＵのヘッダに含まれている端末専用識別子は、ＵＴＲＡＮ内の特定端末を示すＵ−ＲＮＴＩ（UTRAN Radio Network Temporary Identifier）である。
【００２４】
好ましくは、前記段階（Ｄ）で、前記端末専用識別子が一致しない場合、前記ＭＡＣＰＤＵを廃棄する。
【００２５】
さらに、このような本発明の目的を達成するために、本発明による端末は、無線ネットワークにおいて共有データチャネルに関連する制御チャネルで特定共通識別子を受信する受信部と、前記共有データチャネルが送信するＭＡＣＰＤＵのヘッダに端末専用識別子が含まれているか否かを確認し、前記ヘッダに前記識別子が含まれている場合は前記ＭＡＣ ＰＤＵのヘッダから端末専用識別子を取得し、前記取得した端末専用識別子と前記端末に保存されている端末専用識別子とを比較して一致しているか否かを判断し、前記端末専用識別子が一致する場合は前記ＭＡＣＰＤＵ（該当ＭＡＣ ＳＤＵ）を上位のＭＡＣ層に送信する処理部とを含む。
【００２６】
好ましくは、前記処理部は、前記取得した端末専用識別子が前記端末に保存されている前記端末専用識別子と一致しない場合、前記受信したＭＡＣＰＤＵを廃棄するように処理する。
【００２７】
好ましくは、前記処理部は、前記制御チャネルが示す共有データチャネルの送信のために使用されるＭＡＣＰＤＵのフォーマットを決定し、前記決定されたＭＡＣ ＰＤＵフォーマットに応じて前記受信したＭＡＣ ＰＤＵを分解する。
【００２８】
好ましくは、前記共有データチャネルは、ＨＳ−ＤＳＣＨ（High Speed Dedicated Shared Channel）であり、前記制御チャネルは、ＨＳ−ＳＣＣＨ（HightSpeed Shared Control Channel）である。
【００２９】
好ましくは、前記ＭＡＣ ＰＤＵのヘッダに含まれている端末専用識別子は、ＵＴＲＡＮ内の特定端末を示すＵ−ＲＮＴＩである。
【００３０】
本発明によると、移動端末は、ＨＳ−ＤＳＣＨに関連するＨＳ−ＳＣＣＨで特定共通Ｈ−ＲＮＴＩを受信し、前記ＨＳ−ＤＳＣＨにより送信されるＭＡＣＰＤＵのヘッダに端末専用識別子が含まれているか否かを把握し、前記端末専用識別子を取得する。前記端末専用識別子が前記移動端末に対するものである場合、前記移動端末は、前記ＭＡＣＰＤＵを前記移動端末のものとして処理し、共通Ｈ−ＲＮＴＩが示される場合も、特定端末がＨＳ−ＤＳＣＨを受信することができる。
【図面の簡単な説明】
【００３１】
【図１】従来技術及び本発明が適用されるＵＭＴＳのネットワーク構造を示す図である。
【図２】３ＧＰＰ無線接続ネットワーク標準に準拠した端末とＵＴＲＡＮ間の無線インタフェースプロトコルの構造を示す図である。
【図３】従来技術による端末とＵＴＲＡＮ間のＲＲＣ接続過程を示す信号フロー図である。
【図４】従来技術によるＨＳ−ＤＳＣＨのプロトコルスタックを示す図である。
【図５】ＨＳ−ＰＤＳＣＨのサブフレーム及びスロット構造を示す図である。
【図６】従来技術によるチャネル構成を示す図である。
【図７】ＨＳ−ＳＣＣＨのサブフレーム構造を示す図である。
【図８】ＨＳ−ＳＣＣＨチャネルの符号化を示す図である。
【図９】アップリンクＨＳ−ＤＰＣＣＨのフレーム構造を示す図である。
【図１０】ＭＡＣ ＰＤＵフォーマットを示す図である。
【図１１】本発明の第１実施形態によるＭＡＣ ＰＤＵフォーマットを示す図である。
【図１２】図１１に示すフォーマットのＭＡＣ ＰＤＵを受信した端末の動作を示すフローチャートである。
【図１３】本発明の第２実施形態によるＭＡＣ ＰＤＵフォーマットを示す図である。
【図１４】図１３に示すフォーマットのＭＡＣ ＰＤＵを受信した端末の動作を示すフローチャートである。
【図１５】本発明による端末の概略的なブロック図である。
【発明を実施するための形態】
【００３２】
本発明は、移動端末にダウンリンクデータを送信するＵＭＴＳ通信システム、通信装置及び通信方法に適用される。しかしながら、本発明は、これに限定されるものではなく、全ての有無線通信技術に適用できる。
【００３３】
本発明の基本概念は、共通の端末識別子（例えば、共通Ｈ−ＲＮＴＩ）が使用される場合、共有データチャネル（例えば、ＨＳ−ＤＳＣＨ）で特定端末のみがデータを受信できる方法を提案し、また、本発明は、このような方法を実行できるＭＡＣＰＤＵの新しいフォーマットを提案する。すなわち、移動端末は、１）前記共有データチャネルに関連する制御チャネル（例えば、ＨＳ−ＳＣＣＨ）で特定共通識別子（例えば、Ｈ−ＲＮＴＩ）を受信し、２）前記共有データチャネルが送信するＭＡＣＰＤＵのヘッダが端末専用識別子（例えば、Ｕ−ＲＮＴＩ）を含んでいるか否かを把握し、３）前記ヘッダが前記端末専用識別子を含んでいる場合、前記移動端末が前記端末専用識別子を取得し、前記端末専用識別子が前記移動端末に対するものである場合、前記ＭＡＣＰＤＵを前記移動端末のものとして処理する。
【００３４】
本発明において、ＨＳ−ＳＣＣＨが示すＨＳ−ＤＳＣＨの送信のために使用されるＭＡＣＰＤＵのフォーマットは、ＨＳ−ＳＣＣＨで受信した端末識別子Ｈ−ＲＮＴＩにより決定される。すなわち、前記端末識別子が異なると、ＭＡＣ ＰＤＵが異なる可能性がある。すなわち、前記Ｈ−ＲＮＴＩが端末専用であるか共通であるかによって送信側（ネットワーク）は異なるＭＡＣＰＤＵフォーマットを送信する。受信側（端末）は、端末専用Ｈ−ＲＮＴＩであるか共通Ｈ−ＲＮＴＩであるかを確認した後、該当するフォーマットに応じてＭＡＣ ＰＤＵを復号化する。
【００３５】
前記端末は、前記ＨＳ−ＳＣＣＨを受信し、前記端末識別子Ｈ−ＲＮＴＩを取得した後、前記取得したＨ−ＲＮＴＩによって前記ＨＳ−ＤＳＣＨで受信したＭＡＣＰＤＵフォーマットを決定し、前記決定されたＭＡＣ ＰＤＵフォーマットに応じて前記受信したＭＡＣ ＰＤＵを分解する。
【００３６】
以下、本発明の実施形態について図１１〜図１３を参照して説明する。
【００３７】
図１１は、本発明の第１実施形態によるＭＡＣ ＰＤＵフォーマットを示す。図１１において、ＭＡＣ−ｈｓヘッダは、ＭＡＣヘッダの一種である。前記ＭＡＣ−ｈｓは、ＨＳ−ＤＳＣＨを担当するＭＡＣエンティティであり、ＭＡＣ−ｃは、共通トランスポートチャネルを担当するＭＡＣエンティティである。
【００３８】
図１２は、図１１に示すフォーマットのＭＡＣ ＰＤＵを受信した端末の動作を示すフローチャトである。以下、図１１及び図１２を参照して本発明を説明する。前記端末がＨＳ−ＳＣＣＨ（例えば、前記ＨＳ−ＤＳＣＨに関連する制御チャネル）を受信し、前記端末専用のＨ−ＲＮＴＩをＨＳ−ＳＣＣＨフレームから取得すると（Ｓ１１）、前記端末は、前記ＨＳ−ＳＣＣＨにマッピングされるＨＳ−ＤＳＣＨフレームから図１１のフォーマットのようなＭＡＣＰＤＵを受信する（Ｓ１２）。ここで、図１１のＭＡＣ ＰＤＵのヘッダは、Ｃ−ＲＮＴＩ（Cell Radio NetworkTemporary Identifier）、Ｕ−ＲＮＴＩ、Ｈ−ＲＮＴＩなどの端末識別子を含んでいない。従って、前記端末は、前記ＭＡＣ ＰＤＵのヘッダに端末識別子が含まれていないと認識（判断）し、また、前記端末は、前記受信したＭＡＣＰＤＵがＭＡＣ ＰＤＵヘッダに端末識別子（例えば、Ｃ−ＲＮＴＩ、Ｕ−ＲＮＴＩ、Ｈ−ＲＮＴＩ）が含まれていない構成であると判断する（Ｓ１３、Ｓ１４）。前記端末は、前記端末専用のＨ−ＲＮＴＩが前記端末自身が保存している端末専用のＨ−ＲＮＴＩと一致する場合（Ｓ１５）、前記受信したＭＡＣＰＤＵが前記端末のものであると判断して該当ＭＡＣ ＰＤＵを上位のＭＡＣ層に送信する（Ｓ１６）。前記端末専用のＨ−ＲＮＴＩが一致しない場合、前記受信したＭＡＣ ＰＤＵを廃棄する（Ｓ１７）。
【００３９】
また、前記端末がＨＳ−ＳＣＣＨを受信し、ＣＣＣＨ専用のＨ−ＲＮＴＩ又は一般的な共通Ｈ−ＲＮＴＩを前記ＨＳ−ＳＣＣＨフレームから取得した場合、前記端末がＨＳ−ＳＣＣＨフレームにマッピングされるＨＳ−ＤＳＣＨフレームから図１１に示すフォーマットのようなＭＡＣＰＤＵを受信すると、前記端末は、前記受信したＭＡＣ ＰＤＵのヘッダに端末識別子が含まれていないと判断する。ここで、前記ＭＡＣ ＰＤＵを受信した後、前記端末は、該当ＭＡＣＰＤＵを上位のＭＡＣ層に送信する。
【００４０】
図１３は、本発明の第２実施形態によるＭＡＣ ＰＤＵフォーマットである。図１３において、ＭＡＣ−ｈｓヘッダ及びＭＡＣ−ｃヘッダは、ＭＡＣヘッダの種類である。前記ＭＡＣ−ｈｓは、ＨＳ−ＤＳＣＨを担当するＭＡＣエンティティであり、ＭＡＣ−ｃは、共通トランスポートチャネルを担当するＭＡＣエンティティである。
【００４１】
図１４は、図１３に示すフォーマットのＭＡＣ ＰＤＵを受信した端末の動作を示すフローチャトである。
【００４２】
前記端末が前記ＨＳ−ＳＣＣＨを受信し、特定の共通Ｈ−ＲＮＴＩをＨＳ−ＳＣＣＨフレームから取得すると（Ｓ２１）、前記端末は、前記ＨＳ−ＳＣＣＨにマッピングされるＨＳ−ＤＳＣＨフレームから受信したＭＡＣＰＤＵのＭＡＣヘッダに端末識別子が含まれていると判断する（Ｓ２２〜Ｓ２４）。ここで、前記ＭＡＣヘッダに含まれている端末識別子は、図１３のようにＵ−ＲＮＴＩである。また、前記特定の共通Ｈ−ＲＮＴＩは、複数の端末が共有して使用する識別子であり、前記ＭＡＣヘッダに前記端末識別子が含まれていることを通知する機能を果たす。
【００４３】
前記端末は、前記ＭＡＣヘッダに含まれている端末識別子（すなわち、Ｕ−ＲＮＴＩ）が前記端末に保存されている端末識別子と一致する場合（Ｓ２５）、前記受信したＭＡＣＰＤＵが前記端末に対するものであると判断して該当ＭＡＣ ＳＤＵを上位のＭＡＣ層に送信する（Ｓ２６）。前記端末識別子が一致しない場合、前記端末は、前記受信したＰＤＵを廃棄する（Ｓ２７）。
【００４４】
図１５は、本発明による端末の概略的なブロック図である。
【００４５】
以下、図１５を参照して本発明による端末の構成及び動作について説明する。
【００４６】
本発明による端末１００は、移動通信のために用いられる全ての端末機（例えば、使用者装置（ＵＥ）、携帯電話、セルラーフォン、ＤＭＢフォン、ＤＶＢ−Ｈフォン、ＰＤＡフォン、及びＰＴＴフォンなど）、デジタルテレビ、ＧＰＳナビゲーション、携帯用ゲーム機、ＭＰ３、その他の家電製品などを含むものであり、前述した本発明の技術的思想が適用される全ての装置を含む包括的な意味である。
【００４７】
本発明による端末１００は、無線ネットワーク（ＵＴＲＡＮ）において共有データチャネル（ＨＳ−ＤＳＣＨ）と関連した制御チャネル（ＨＳ−ＳＣＣＨ）で特定共通識別子を受信する受信部１０１と、前記共有データチャネルが送信するＭＡＣＰＤＵのヘッダに端末専用識別子が含まれているか否かを確認（把握又は判断）し、前記端末専用識別子が含まれている場合は前記ＭＡＣ ＰＤＵのヘッダから端末専用識別子を取得し、前記取得した端末専用識別子と前記端末自身に保存されている端末専用識別子とを比較し、前記２つの識別子が一致する場合は前記ＭＡＣＰＤＵが前記端末に対するものであると判断し、該当ＭＡＣ ＳＤＵを上位のＭＡＣ層に送信する処理部１０２とから構成される。
【００４８】
また、処理部１０２は、前記端末専用識別子と前記端末に保存されている前記端末専用識別子とを比較して一致しない場合、前記受信したＭＡＣＰＤＵを廃棄する。
【００４９】
処理部１０２は、前記ＨＳ−ＳＣＣＨで受信した前記端末識別子Ｈ−ＲＮＴＩによって、前記ＨＳ−ＳＣＣＨにより示される前記ＨＳ−ＤＳＣＨの送信に使用されるＭＡＣＰＤＵのフォーマットを決定する。
【００５０】
端末１００の受信部１０１は、前記ＨＳ−ＳＣＣＨを受信し、処理部１０２は、前記受信したＨＳ−ＳＣＣＨから前記端末識別子Ｈ−ＲＮＴＩを取得した後、前記取得したＨ−ＲＮＴＩによって前記ＨＳ−ＤＳＣＨで受信した前記ＭＡＣＰＤＵのフォーマットを決定し、前記決定されたＭＡＣ ＰＤＵフォーマットに応じて前記受信したＭＡＣ ＰＤＵを処理する。
【００５１】
前記ＭＡＣ ＰＤＵのヘッダに含まれる端末専用識別子は、１つのＵＴＲＡＮ内の特定端末を示すＵ−ＲＮＴＩである。また、前記特定共通識別子は、Ｈ−ＲＮＴＩである。
【００５２】
処理部１０２は、制御部ということができ、その名称の意味がその構成の機能及び動作を限定するものではない。また、受信部１０１もＲＦモジュールということができる。
【００５３】
また、本発明による端末１００は、図１５に示す基本的な構成要素以外にも、本発明の技術が適用されるために必要な端末の必須基本構成要素を全て含む。ただし、図１５に示す構成要素及びその他の必須構成要素に関する詳細な説明は、本発明の技術分野における通常の知識を有する者にとって明らかであるため、省略する。本発明による端末１００の各構成要素の動作及び機能は、前述した図１１〜図１４の説明の該当部分にそのまま適用される。
【００５４】
本発明は、図面に示す実施形態を参照して説明されたが、単なる例示にすぎず、当該技術分野における通常の知識を有する者であれば多様な代案、変更、変形が可能であることを理解できるであろう。従って、本発明の技術的保護範囲は添付された特許請求の範囲の技術的思想により決定されるべきである。
【図１】
2010512707.tif 000004
【図２】
2010512707.tif 000005
【図３】
2010512707.tif 000006
【図４】
2010512707.tif 000007
【図５】
2010512707.tif 000008
【図６】
2010512707.tif 000009
【図７】
2010512707.tif 000010
【図８】
2010512707.tif 000011
【図９】
2010512707.tif 000012
【図１０】
2010512707.tif 000013
【図１１】
2010512707.tif 000014
【図１２】
2010512707.tif 000015
【図１３】
2010512707.tif 000016
【図１４】
2010512707.tif 000017
【図１５】
2010512707.tif 000018
【国際調査報告】
2010512707.tif 000019
2010512707.tif 000020